(57)【要約】【課題】回転電機機器の構成要素であるコイル部材の絶縁特性を改善及び向上させる。【解決手段】複数の素線を結束してなる導体と、前記導体の少なくとも角部に形成されたアスペクト比が１対１００以上である鱗片状の粒子及び樹脂を含む第１の絶縁層と、前記第１の絶縁層を被覆するように形成された、アスペクト比が１対１００以上である鱗片状の粒子を含む樹脂膜及び裏打ち材が少なくとも１ずつ積層されてなる第２の絶縁層とを具え、前記第１の絶縁層の厚さが、前記樹脂膜の厚さよりも大きくなるようにして絶縁コイルを構成する。【選択図】図１
2010246247.tif 000002
【特許請求の範囲】
【請求項１】
複数の素線を結束してなる導体と、
前記導体の少なくとも角部に形成されたアスペクト比が１対１００以上である鱗片状の粒子及び樹脂を含む第１の絶縁層と、
前記第１の絶縁層を被覆するように形成された、アスペクト比が１対１００以上である鱗片状の粒子を含む樹脂膜及び裏打ち材が少なくとも１ずつ積層されてなる第２の絶縁層とを具え、
前記第１の絶縁層の厚さが、前記樹脂膜の厚さよりも大きいことを特徴とする、絶縁コイル。
【請求項２】
前記第１の絶縁層は、前記導体の外周を覆うようにして形成されたことを特徴とする、請求項１に記載の絶縁コイル。
【請求項３】
前記第１の絶縁層中の前記粒子は、前記導体の外周面と前記粒子の主面とが略平行となるようにして配置されていることを特徴とする、請求項１又は２に記載の絶縁コイル。
【請求項４】
前記第１の絶縁層中の前記樹脂の量が、前記第１の絶縁層全体の３０体積％以下であることを特徴とする、請求項１〜３のいずれか一に記載の絶縁コイル。
【請求項５】
前記第１の絶縁層の厚さが３ｍｍ以下であるとともに、前記第１の絶縁層及び前記第２の絶縁層の合計の厚さに対して１０％以上であることを特徴とする、請求項１〜４のいずれか一に記載の絶縁コイル。
【請求項６】
前記第２の絶縁層は、熱伝導率が１Ｗ／ｍ・Ｋ以上の熱伝導率を有する充填材を含むことを特徴とする、請求項１〜５のいずれか一に記載の絶縁コイル。
【請求項７】
前記導体と前記第１の絶縁層との間に形成されたフィルム層を具えることを特徴とする、請求項１〜６のいずれか一に記載の絶縁コイル。
【請求項８】
前記樹脂層は、１Ω〜１ＭΩの表面抵抗率を有することを特徴とする、請求項７に記載の絶縁コイル。
【請求項９】
請求項１〜８のいずれか一に記載の絶縁コイルを具えることを特徴とする、回転電機機器。
【発明の詳細な説明】
【技術分野】
【０００１】
本発明は、絶縁コイル及び回転電機機器に関する。
【背景技術】
【０００２】
回転電機機器は、20年、30年と使用される機器であり、特に高電圧回転機器を構成するコイル等の構成部品は、高電圧のストレスに耐えうる絶縁が要求される。現在、前記コイル等に使用されている絶縁材は、無機材料であるマイカとエポキシ樹脂やポリエステル樹脂などの樹脂との複合体である。マイカは、耐熱性と耐放電性に優れた材料であることから放電を許容する高電圧回転機器の絶縁としては長く使用されてきている。
【０００３】
一般的に、上記絶縁材は、ガラスクロスやフィルムを裏打ち材として使用し、そこに抄紙したマイカ紙を貼り付け、テーピングによって形成される場合が多い。また、はがしマイカと呼ばれる大きなマイカ鱗片を貼り付けながらテープを巻き回し形成する手法も用いられてきた。いずれもガラスクロスやフィルムを用いてマイカを固定する手法であり、ガラスクロス中の樹脂や高分子フィルムの電気絶縁性がマイカと比較して低いため、この部分が制限因子となり、電気絶縁性を決めていた。そこで、マイカテープメーカーであるISOVOLTA 社は、ガラスクロスの厚みを薄くすることによって高い絶縁性を持つマイカテープを開発した。
【先行技術文献】
【非特許文献】
【０００４】
【非特許文献１】Ladstatter W. Marek P., Crubelnik W., Senn F.:New Insulation Technology impacts Generator Design, Power-Gen International Conference 2006 Orland
【０００５】
このように、これまでの回転電機機器の絶縁に関する開発経緯を見ても、回転電機機器の構成部品であるコイル等に対して如何に高い電気絶縁性能を付与するかという課題は、回転電機機器の信頼性を確保する観点から重要である。また、前記コイル等の構成部品に対して高い絶縁性能を付与することができれば、絶縁厚みを薄くすることができ、また、前記導体断面積等を大きくできる。したがって、回転電機機器の大容量化、あるいは、同じ電流密度で考えれば小型化を実現することができる。 
【発明の開示】
【発明が解決しようとする課題】
【０００６】
本発明は、上記回転電機機器の構成要素であるコイル部材の絶縁特性を改善及び向上させることを目的とする。
【課題を解決するための手段】
【０００７】
上記目的を達成すべく、本発明の一態様は、複数の素線を結束してなる導体と、前記導体の少なくとも角部に形成されたアスペクト比が１対１００以上である鱗片状の粒子及び樹脂を含む第１の絶縁層と、前記第１の絶縁層を被覆するように形成された、アスペクト比が１対１００以上である鱗片状の粒子を含む樹脂膜及び裏打ち材が少なくとも１ずつ積層されてなる第２の絶縁層とを具え、前記第１の絶縁層の厚さが、前記樹脂膜の厚さよりも大きいことを特徴とする、絶縁コイルに関する。
【０００８】
導体に電流を流した際には、特に前記導体の角部に電界が集中し、かかる部分の絶縁耐力が問題となる。しかしながら、上記態様では、前記導体の前記角部において、従来の裏打ち材に相当する第２の絶縁層に加えて、アスペクト比が１対１００以上である鱗片状の粒子及び樹脂を含む第１の絶縁層を設けるようにしている。したがって、前記第１の絶縁層の特に鱗片状の粒子が前記角部において発生する前記電界を遮蔽するようになるので、かかる部分における絶縁耐力を向上させることができ、高い絶縁耐力を有する絶縁コイルを提供できるようになる。
【０００９】
なお、上記第２の絶縁層もアスペクト比が１対１００以上である鱗片状の粒子を含む樹脂膜を有しているので、上記第１の絶縁層が上述した作用効果を奏するようにするためには、前記第１の絶縁層の厚さを前記樹脂膜の厚さよりも大きくすることが要求される。
【００１０】
また、本発明の一例において、前記第１の絶縁層は、前記導体の外周を覆うようにして形成することができる。これによって、上記導体の角部のみならず、前記導体の外周面から発生する総て電界を有効に遮蔽することができる。したがって、前記導体の絶縁耐力をより向上させることができる。
【００１１】
さらに、本発明の一例において、前記第１の絶縁層中の前記粒子は、前記導体の外周面と前記粒子の主面とが略平行となるようにして配置することが好ましい。この場合、前記導体から発生する電界成分と前記粒子の主面とが略垂直な関係となるため、前記粒子による前記電界の遮蔽効果が増大し、前記導体に対する絶縁耐力を増大させた絶縁コイルを提供することができる。
【００１２】
また、本発明の一例において、前記第２の絶縁層は、熱伝導率が１Ｗ／ｍ・Ｋ以上の熱伝導率を有する充填材を含むことが好ましい。この場合、前記第２の絶縁層、すなわち前記絶縁コイルの熱伝導性が向上するようになるので、前記絶縁コイルの冷却性能を向上させることができる。なお、上記充填材を含有することによって前記第２の絶縁層の絶縁特性は多少劣化してしまうが、本態様の絶縁コイルにおける絶縁耐力は、主として上記第１の絶縁層が担っているので、前記絶縁コイルの絶縁耐力が全体として劣化することはない。
【００１３】
さらに、本発明の一例では、前記導体と前記第１の絶縁層との間にフィルム層を形成することができる。前記第１の絶縁層で前記導体を被覆した場合、特に前記導体の隣接する素線間の界面に形成されるV字状の隙間に上記粒子が入り込み、その結果、その外周側にボイドが発生する場合がある。このようなボイドが発生すると、かかる部分で放電が発生し、前記絶縁コイルの絶縁耐力を劣化させてしまう場合がある。
【００１４】
したがって、上述のように、前記導体と前記第１の絶縁層との間に上記樹脂層を設けることによって、上述したような、前記粒子の前記隙間への入り込みを防止し、上述のようなボイドの発生を抑制することができる。したがって、前記ボイドに起因した上記不利益を防止することができる。
【００１５】
なお、前記フィルム層は、１Ω〜１ＭΩの表面抵抗率を有することが好ましい。この場合、フィルム層と導体間にボイドが残留したとしても、このボイド内で生成する電界（すなわち電荷）が前記樹脂層で吸収されてしまうため、ボイド内における放電の発生を抑制することができるようになる。
【発明の効果】
【００１６】
以上、本発明によれば、回転電機機器の構成要素であるコイル部材の絶縁特性を改善及び向上させることができる。
【図面の簡単な説明】
【００１７】
【図１】第１の実施形態に関する絶縁コイルの断面構成図である。
【図２】図１に示す絶縁コイルの、第１の絶縁層の構成を示す図である。
【図３】図１に示す絶縁コイルにおける第２の絶縁層の構成を、前記絶縁コイルの長さ方向において示す図である。
【図４】第２の絶縁層の変形例の構成を示す図である。
【図５】第１の実施形態の変形例に関する絶縁コイルの断面構成図である。
【図６】第２の実施形態に関する絶縁コイルの断面構成図である。
【図７】第２の実施形態における絶縁コイルの作用効果を説明するための図である。
【図８】第２の実施形態における絶縁コイルの作用効果を説明するための図である。
【図９】第２の実施形態の変形例に関する絶縁コイルの断面構成図である。
【発明を実施するための形態】
【００１８】
（第１の実施形態）
図１は、第１の実施形態に関する絶縁コイルの断面構成図であり、図２は、図１に示す絶縁コイルの、第１の絶縁層の構成を示す図であり、図３は、第２の絶縁層の構成を、紙面に垂直な方向、すなわち前記絶縁コイルの長さ方向において示す図である。
【００１９】
図１に示すように、本実施形態における絶縁コイル１０は、導体１１と、この導体１１の外周を覆うようにして形成された第１の絶縁層１２と、この第１の絶縁層１２を被覆するようにして形成された第２の絶縁層１３とを有している。
【００２０】
導体１１は、電気的良導体である複数の素線１１１、例えば、銅、アルミニウム、銀等から構成され、素線１１１が縦及び横方向に並列するとともに結束してなる。本実施形態では、素線１１１を横に２列、縦に８列で並列させて結束させているが、その数及び配列構成については特に限定されるものではない。
【００２１】
また、第１の絶縁層１２は、アスペクト比が１対１００以上の鱗片状の粒子１２１と樹脂１２２とを含む。具体的には、図２に示すように、樹脂１２２からなるマトリックス中に鱗片状の粒子１２１が分散しているような構成を呈する。なお、ここでいうアスペクト比とは、粒子１２１の厚さを１とした場合の、その主面の大きさを特徴づけるような長さ、例えば直径等の大きさに対する比を意味するものである。すなわち、前記厚さを１とした場合に、その直径等の大きさが１００以上であることを意味するものである。
【００２２】
なお、図２では、粒子１２１は、その主面が導体１１の外周面と略平行となるように構成されている。粒子１２１は比較的大きなアスペクト比を有するので、このような粒子１２１を樹脂１２２中に分散させると、粒子１２１は、その主面が自ずと層１２の主面と略平行となる傾向がある。したがって、本実施形態において、導体１１の外周を覆うようにして第２の絶縁層１２を形成した場合、図２に示すような構成は自己整合的に形成される。
【００２３】
但し、第２の絶縁層１２の形成手法に変更を加えて、例えば第２の絶縁層１２の形成過程において、圧力を局所的に印加し、また、樹脂１２２の硬化速度を早める等の手法を採ることによって、粒子１２１の主面が導体１１の前記外周面と略平行とならないような構成を採ることもできる。しかしながら、以下に説明するように、第２の絶縁層１２を図２に示すような構成とすることによって、本実施形態の絶縁コイル１０の絶縁耐力を向上させることができるので、あえて第２の絶縁層１２の形成手法に変更を加えて、図２に示す以外の構成を採用することは望ましくない。
【００２４】
粒子１２１としては、マイカ、シリケート及びアルミナからなる群より選ばれる少なくとも一種とすることが好ましい。これらの材料は、上述した比較的大きなアスペクト比の粒子１２１を簡易に形成することができるとともに、以下に説明するように絶縁特性に優れ、電界に対する遮蔽効果が高い。樹脂１２２は、汎用の熱硬化性樹脂から構成することができる。
【００２５】
第２の絶縁層１３は、同じくアスペクト比が１対１００以上である鱗片状の粒子を含む樹脂膜１３１と裏打ち材１３２とが少なくとも１ずつ積層されてなる。具体的には、樹脂膜１３１及び裏打ち材１３２が対となって１つの膜１３３を形成し、この膜１３３が少なくとも１層以上積層されてなる。具体的には、膜１３３はテープ状とすることができ、図３に示すように、第１の絶縁層１２の外周面を隣接する端部同士が互いに重なり合うようにして複数巻回されてなる。
【００２６】
樹脂膜１３１を構成する樹脂は汎用の熱硬化性樹脂とすることができ、裏打ち材１３２は、ガラスクロスやガラスフィルム等とすることができる。
【００２７】
なお、層数は、図３に示すように例えば６〜３０であり、この結果、第２の絶縁層１３は、６層から３０層の膜１３３が積層されたような構成を呈する。図３においては、第２の絶縁層１３の構成上の特徴を明確にすべく、複数の膜１３３を分離させて描いているが、実際には、隣接する膜１３３同士は互いに密着するようにして巻回されている。
【００２８】
また、本実施形態においては、本発明に従って、第１の絶縁層１２の厚さが、樹脂膜１３１の厚さよりも大きいことが要求される。
【００２９】
導体１１に電圧を印加すると、導体１１の外周面からは前記電流に起因した電界が前記外周面に対して略垂直方向に生成するようになり、特に導体１１の角部における電界の生成が顕著となる。しかしながら、本実施形態では、導体１１の外周を覆うようにして、従来の裏打ち材に相当する第２の絶縁層１３に加えて、第１の絶縁層１２を設けるようにしている。したがって、第１の絶縁層１２の、特に粒子１２１の鱗片状の主面が前記電界を遮蔽するようになるので、上述のような電界が生成した場合においても、絶縁コイル１０全体の絶縁耐力を向上させることができるようになる。
【００３０】
なお、本実施形態では、図２に示すように、粒子１２１の主面が導体１１の外周面と略平行となるように構成されているので、粒子１２１による前記電界の遮蔽効果が増大する。
【００３１】
また、第１の絶縁層１２中の樹脂１２２の量は、第１の絶縁層１２全体の３０体積％以下であることが好ましい。樹脂１２２の量が３０体積％を超えると、粒子１２１の量が相対的に減少してしまうため、絶縁コイル１０の絶縁耐力が減少してしまう場合がある。なお、樹脂１２２の量の下限値は１０体積％とすることができる。樹脂１２２の量の下限値が１０体積％よりも小さいと、第１の絶縁層中にボイドが発生し、粒子１２１による絶縁耐力を向上させることができない場合がある。
【００３２】
さらに、第１の絶縁層１２の厚さが３ｍｍ以下であるとともに、第１の絶縁層１２及び第２の絶縁層１３の合計の厚さに対して１０％以下であることが好ましい。第１の絶縁層１２の厚さが増大してくると、第１の絶縁層１２で導体１１を被覆した場合、特に導体１１の隣接する素線１１１同士の界面近傍においてボイドが発生する場合がある。このようなボイドが発生すると、かかる部分で放電が発生し、絶縁コイル１０の絶縁耐力を劣化させてしまう場合がある。
【００３３】
しかしながら、第１の絶縁層１２の厚さを３ｍｍ以下とすることによって、上述したボイドの発生を効果的に抑制することができる。一方、第１の絶縁層１２の厚さが減少することによって、第１の絶縁層１２に起因した絶縁コイル１０の絶縁耐力を劣化させてしまう恐れがあるが、絶縁コイル１０の設計上、第１の絶縁層１２の厚さを第１の絶縁層１２及び第２の絶縁層１３の合計の厚さに対して１０％以上とすれば、上述した不都合を回避することができる。
【００３４】
但し、この場合は、絶縁コイル１０は、上記設計に沿った使用態様で使用することになる。
【００３５】
なお、第１の絶縁層１２の厚さの、第１の絶縁層１２及び第２の絶縁層１３の合計の厚さに対する上限値は、５０％とすることができる。第１の絶縁層１２の厚さがこれより大きくなっても、絶縁耐力の向上には大きく寄与しない。
【００３６】
また第２の絶縁層１３は、熱伝導率が１Ｗ／ｍ・Ｋ以上の熱伝導率を有する充填材を含むことが好ましい。この場合、第２の絶縁層１３、すなわち絶縁コイル１０の熱伝導性が向上するようになるので、絶縁コイル１０の冷却性能を向上させることができる。なお、上記充填材を含有することによって第２の絶縁層１３の絶縁特性は多少劣化してしまうが、本実施形態の絶縁コイル１０における絶縁耐力は、主として第１の絶縁層１２が担っているので、絶縁コイル１０の絶縁耐力が全体として劣化することはない。
【００３７】
上記充填材としては、窒化ボロンやアルミナや水和アルミナやマグネシア等から構成することができる。
【００３８】
また、上記充填材は、主として第２の絶縁層１３の裏打ち材１３２中に含有させる。また、第２の絶縁層１３に隣接させて、例えば図４に示すように、樹脂膜１３１の内側に前記充填材を含有した高熱伝導層１３４を樹脂膜１３１の内方に形成することもできる。
【００３９】
また、図１に示すような構成に代えて、図５に示すように、第１の絶縁層１２を導体１１の角部のみに形成するようにすることもできる。上述したように、導体１１に電流を流した際には、特に導体１１の角部に電界が集中するようになる。したがって、図５に示すような態様においても、導体１１の角部からの電界を効果的に遮蔽することができるので、絶縁コイル１０の絶縁耐力を向上させることができる。
【００４０】
（第２の実施形態）
図６は、第２の実施形態に関する絶縁コイルの断面構成図であり、図７及び図８は、本実施形態の絶縁コイルの作用効果を説明するための図である。なお、第１の実施形態に係わる図１〜４に示す絶縁コイル１０の構成要素と同一あるいは類似の構成要素に関しては、同一の参照数字を用いて表している。
【００４１】
本実施形態における絶縁コイル２０は、導体１１と第１の絶縁層１２との間に樹脂層２４が設けられている点で上記第１の実施形態と相違し、その他の点では、上記第１の実施形態と同様である。したがって、以下においては、樹脂層２４及びその作用効果について説明する。
【００４２】
一方、第１の絶縁層１２で導体１１を被覆した場合、図７に示すように、特に導体１１の隣接する素線１１１間の界面に形成されるV字状の隙間１２Ａに粒子１２１が入り込み、その結果、その外周側にボイド２６が発生する場合がある。このようなボイド２６が発生すると、かかる部分で放電が発生し、絶縁コイル２０の絶縁耐力を劣化させてしまう場合がある。
【００４３】
このような不都合を回避すべく、本実施形態においては、図６及び図８に示すように、導体１１と第１の絶縁層１２との間にフィルム層２４を設けている。これによって、上述したような、粒子１２１の隙間１２Ａへの入り込みを防止し、ボイド２６の発生を抑制することができる。したがって、ボイド２６に起因した上記不利益を防止することができる。
【００４４】
なお、第１の実施形態においても、第１の絶縁層１２の厚さを３ｍｍ以下とすることによって、ボイド２６の発生を効果的に抑制することができるが、本実施形態では、上述したようなフィルム層２４を設けていることによって、上述のような厚さの制限を受けることなく、ボイド２６の発生を抑制することができる。
【００４５】
フィルム層２４は、例えばポリエチレンテレフタレート等のポリエステルフィルムやポリイミド等のイミドテープの他、ポリプロピレンやポリエチレン等の汎用のオレフィンフィルムから構成することができる。
【００４６】
また、フィルム層２４は、１Ω〜１ＭΩの表面抵抗率を有することが好ましい。この場合、ボイド２６が残留したとしても、ボイド２６内で生成する電界（すなわち電荷）がフィルム層２４で吸収されてしまうため、ボイド内２６における放電の発生を抑制することができるようになる。
【００４７】
なお、フィルム層２４が上述した表面抵抗率を有するようにするためには、フィルム層２４中に導電性の充填材を含有させる。具体的には、銅、銀、アルミニウム等の電気的良導体からなる充填材の他、強度をも付与する目的でステンレス等の充填材を含有させることもできる。その他、カーボン等を用いることもできる。
【００４８】
本実施形態では、フィルム層２４を導体１１と第１の絶縁層１２との間の全体に亘って形成したが、図８に示すように、導体１１と第１の絶縁層１２との間において、所定の間隔で離間させるようにして形成することもできる。
【００４９】
以上、第１の実施形態及び第２の実施形態の絶縁コイルによれば、回転電機機器の構成要素であるコイル部材の絶縁特性を改善及び向上させることができる。したがって、高い絶縁耐力を有することによって高い信頼性を有し、小型化、大容量化した回転電器機器を提供することができる。
【００５０】
以上、本発明を上記具体例に基づいて詳細に説明したが、本発明は上記具体例に限定されるものではなく、本発明の範疇を逸脱しない限りにおいて、あらゆる変形や変更が可能である。
【符号の説明】
【００５１】
１０，２０  絶縁コイル
１１  導体
１１１  素線
１２  第１の絶縁層
１２１  鱗片状の粒子
１２２  樹脂
１３  第２の絶縁層
１３１  樹脂膜
１３２  裏打ち材
１３３  樹脂膜及び裏打ち材からなる層
１３４  高熱伝導層
２４  フィルム層
２６  ボイド
【図１】
2010246247.tif 000003
【図２】
2010246247.tif 000004
【図３】
2010246247.tif 000005
【図４】
2010246247.tif 000006
【図５】
2010246247.tif 000007
【図６】
2010246247.tif 000008
【図７】
2010246247.tif 000009
【図８】
2010246247.tif 000010
【図９】
2010246247.tif 000011